Podtech/llm-jp-corpus-v4-ja_patent huggingface dataset:
(57)【要約】      （修正有）【課題】昨今のコロナウイルス感染症の拡大により、座席ごとの仕切り板設置が急務になっているが、種々の仕切り板の幅に応じられる仕切り板スタンドを提供する。【解決手段】台座１と、台座の上にＬ型固定金具２と、Ｌ型固定金具２とは向かい合わせにしたＬ型調整金具３と、金具補強板４を備え、Ｌ型調整金具３には台座の長手方向にスライドさせて固定するため底辺に長孔３１を設け、金具補強板はＬ型調整金具３の上から重ね、台座１のセルスタッド１２と袋ナット５で、Ｌ型調整金具３を固定して仕切り板６を支持するようにした。【選択図】図１
0003227987.tif 000002
【実用新案登録請求の範囲】
【請求項１】
台座（１）と、台座の上に仕切り板（６）を挟む為のＬ型固定金具（２）とＬ型固定金具（２）と向かい合わせにしたＬ型調整金具（３）、金具補強板（４）を備え、Ｌ型調整金具（３）は台座の長手方向にスライドさせて固定するため、底部に長孔（３１）を備え、金具補強板（４）は、Ｌ型調整金具（３）上から重ね、台座（１）に設けたセルスタッド（１２）と袋ナット（５）で締め付けてＬ型調整金具（３）を固定して仕切り板（６）を挟んで立設するようにしたことを特徴とする仕切り板スタンド
【考案の詳細な説明】
【技術分野】
【０００１】  本考案は、飛沫感染防止仕切り板のスタンドに仕切り板の材質、板厚によって固定巾を調節できる金具を備えた仕切り板スタンドである。
【背景技術】
【０００２】飛散防止用の仕切り板を設置しようとした場合、従来の製品はスタンドと一体化している為、汎用性がなく、仕切り板のみを交換することが出来なかった。
【考案の概要】
【考案が解決しようとする課題】
【０００３】  昨今のコロナウイルス感染症の拡大により、座席ごとの仕切り板設置が急務になっているが、種々の仕切り板の幅に応じられるスタンドがなかった。
飛沫感染防止仕切り板のスタンドに仕切り板の材質、板厚によって固定巾を調節できる金具を備えた仕切り板スタンドを提供することを目的とする。
【課題を解決するための手段】
【０００４】  台座（１）と、台座の上に仕切り板（６）を挟む為のＬ型固定金具（２）とＬ型固定金具（２）と向かい合わせにしたＬ型調整金具（３）、金具補強板（４）を備え、Ｌ型調整金具（３）は台座の長手方向にスライドさせて固定するため、底部に長孔（３１）を備え、金具補強板（４）は、Ｌ型調整金具（３）上から重ね、台座（１）に設けたセルスタッド（１２）と袋ナット（５）で締め付けてＬ型調整金具（３）を固定して仕切り板（６）を挟んで立設するようにしたことを特徴とする仕切り板スタンド
【考案の効果】
【０００５】  従来の製品はスタンドに汎用性がないため、好みの材質、サイズの仕切り板を入手するとなると、オーダーメイドとなる為、多大な費用が掛かっている。本発明の仕切り板ドスタンドを使用すれば、板さえ入手すればお好みの仕切り板を作ることができる。
【図面の簡単な説明】
【０００６】
【図１】本考案の仕切り板スタンドの実施例を示す図である。
【考案を実施するための形態】
【０００７】  図１で一実施例を説明する。（１）は鋼板にセルスタッド（１２）を圧入した台座、（２）は鋼板に孔明け、曲げ加工を行ったＬ型固定金具、（２）は鋼板に孔明け、曲げ加工を行ったＬ型調整金具、（４）は金属製の金具補強板、（５）は金具を固定する袋ナット。
【０００８】  以下、添付図面に従って一実施例を説明する。台座（１）にはセルスタッド（１２）が圧入されている。台座（１）の上にＬ型固定金具（２）、Ｌ型調整金具（３）が向かい合わせに取り付いており、仕切り板（６）を２つのＬ型金具で挟み込んで固定する。Ｌ型調整金具（３）の底部に長孔（３１）を明けることにより、台座（１）の長手方向にスライドさせて好みの位置で固定することができる。金具補強板（４）はＬ型調整金具（３）を強固に固定する、長孔（３１）を隠して見た目を良くする。Ｌ型調整金具（３）の上から重ねるように台座（１）のセルスタッド（１２）と袋ナット（５）で取り付ける。
【０００９】  仕切り板スタンドのＬ型調整金具（３）が０〜８ｍｍの幅で固定できるようになっていて、台座（１）長手方向にスライドさせて固定することにより、様々な材質、板厚の仕切り板を固定することができる。
【産業上の利用可能性】
【００１０】倒れにくく頑丈な仕切り板スタンドを提供する。
【符号の説明】
【００１１】１  台座
１１  孔
１２  セルスタッド
２  Ｌ型固定金具
２１  孔
２２  孔
３  Ｌ型調整金具
３１  長孔
３２  孔
４  金具補強板
５  袋ナット
６  仕切り板）
【図１】
0003227987.tif 000003
(57)【要約】【課題】ＵＳＢメモリの記憶情報をいつでも確認できるようにしたＵＳＢメモリを提供する。【解決手段】本体部１とコネクタ部２とを備えたＵＳＢメモリであって、本体部１の表面に設けられたメモ記載部３と、メモ記載部３を覆うカバー４とを備える。カバー４が、本体部１に対し開閉可能に取付けられている。メモ記載部３に記録情報に割り当てた略語かメモを記載していても、カバーによって覆われていることにより摩擦等によっても消えることはない。しかも、必要に応じ使用者は略語かメモを読み取っていつでも記録情報内容を確認できる。カバーが開閉できるので、開くとメモを読み取れ、閉じるとメモ自体を秘匿できる。【選択図】図１
0003227786.tif 000002
【実用新案登録請求の範囲】
【請求項１】
本体部とコネクタ部とを備えたＵＳＢメモリであって、
前記本体部の表面に設けられたメモ記載部と、該メモ記載部を覆うカバーとを備える
ことを特徴とするＵＳＢメモリ。
【請求項２】
前記カバーが、前記本体部に対し開閉可能に取付けられている
ことを特徴とする請求項１記載のＵＳＢメモリ。
【請求項３】
前記カバーが透明である
ことを特徴とする請求項２記載のＵＳＢメモリ。
【請求項４】
前記カバーが非透明である
ことを特徴とする請求項２記載のＵＳＢメモリ。
【考案の詳細な説明】
【技術分野】
【０００１】
本考案は、ＵＳＢメモリに関する。
【背景技術】
【０００２】
ＵＳＢメモリは、ＵＳＢ（ユニバーサル・シリアル・バス）規格に基づく半導体メモリであって、コンピュータに接続可能なメモリ媒体として今日多用されている。
【０００３】
ＵＳＢメモリは、コントローラやメモリチップを内蔵した本体部とコンピュータに接続するためのコネクタ部とからなり、コネクタ部をコンピュータの端子に差し込めば、コンピュータとの情報の交換が行える。
【０００４】
ところで、ＵＳＢメモリに記憶させた情報は、当然ながら外部から視認できないので、いかなる情報を記憶させたか、使用者でも分からなくなることがある。
そのため、ＵＳＢメモリの外表面に油性マーカーなどで、記憶情報の略称などを書いておくこともあった。しかしながら油性マーカーの文字は使用中や携帯中に摩擦により消滅してしまう欠点があった。
【先行技術文献】
【特許文献】
【０００５】
【特許文献１】実用新案登録第３２１２１２７号公報
【考案の概要】
【考案が解決しようとする課題】
【０００６】
本考案は上記事情に鑑み、ＵＳＢメモリの記憶情報をいつでも確認できるようにしたＵＳＢメモリを提供することを目的とする。
【課題を解決するための手段】
【０００７】
第１考案のＵＳＢメモリは、本体部とコネクタ部とを備えたＵＳＢメモリであって、前記本体部の表面に設けられたメモ記載部と、該メモ記載部を覆うカバーとを備えることを特徴とする。
第２考案のＵＳＢメモリは、第１考案において、前記カバーが、前記本体部に対し開閉可能に取付けられていることを特徴とする。
第３考案のＵＳＢメモリは、第２考案において、前記カバーが透明であることを特徴とする。
第４考案のＵＳＢメモリは、第２考案において、前記カバーが非透明であることを特徴とする。
【考案の効果】
【０００８】
第１考案によれば、メモ記載部に記録情報に割り当てた略語かメモを記載していても、カバーによって覆われていることにより摩擦等によっても消えることはない。しかも、必要に応じ使用者は略語かメモを読み取っていつでも記録情報内容を確認できる。
第２考案によれば、カバーが開閉できるので、開くとメモを読み取れ、閉じるとメモ自体を秘匿できる。
第３考案によれば、カバーを開けなくてもメモを読み取ることができる。
第４考案によれば、カバーを閉じた状態ではメモ自体を秘匿でき、開けるとメモを読み取ることができる。
【図面の簡単な説明】
【０００９】
【図１】本考案の第１実施形態に係るＵＳＢメモリＡにおいてカバー４を開いた状態の斜視図である。
【図２】図１のＵＳＢメモリＡにおいてカバー４を閉じた状態の斜視図である。
【考案を実施するための形態】
【００１０】
つぎに、本考案の実施形態を図面に基づき説明する。
図１に示すように、ＵＳＢメモリＡは、コントローラやメモリチップを内蔵した本体部１とコンピュータに接続するためのコネクタ部２とからなる。このようなＵＳＢメモリＡは、コネクタ部２をコンピュータの端子に差し込めば、コンピュータとの情報の交換が行えるが、これは公知の構成である。
【００１１】
本考案のＵＳＢメモリＡでは、本体部１の表面にメモ記載部３が設けられている。メモ記載部３を設ける部位は本体部１の裏表両面のいずれか、あるいは左右の側面のいずれかであってもよい。表面か裏面のいずれかの表面であればメモ記載部３の面積を大きくとれる利点がある。メモ記載部３は、任意の筆記具、たとえば鉛筆、ボールペン、油性または水性のマーカーで文字や記号を書ける素材が使用される。このような素材には、紙や合成樹脂板、金属薄板などを例示できるが、とくに制限はない。
【００１２】
メモ記載部３には、これを覆うカバー４が備えられる。カバー４はメモ記載部３を開閉可能に覆う部材である。カバー４の形状や素材には、特別の制限はない。したがって、メモ記載部３の形や大きさに合わせて選択してよく、素材も合成樹脂製薄板や金属薄板を用いることができる。
【００１３】
前記カバー４は、本体部１に対し開閉可能に取付けられている。開閉可能にするにはヒンジやスライド式など任意の手段を採用できる。本体部１が合成樹脂製ならカバー４も合成樹脂製とし、両部材を連結する部位を薄肉にしたものなど、任意に採用できる。本体部１が金属薄板製であるなら、カバー４も金属薄板製とし、ヒンジは両部材の端縁を丸めて針金を通すものを用いてもよい。
【００１４】
カバー４を閉じたときには、本体部１に閉じられたままに保持できる仮止め構造があるとよい。仮止め構造は、カバー４の先端の一部が弾力的に撓んでメモ記載部３が本体部１に形成した小突起に嵌る構造など、任意の手段を採用できる。
【００１５】
メモ記載部３を使用するには、本体部１内に記録した記録情報に割り当てた略語とかメモを記載しておけばよい。通常の使用状態では、カバー４によって覆われていることによりメモが摩擦等によっても消えることはない。しかも、必要に応じ使用者は略語かメモを読み取っていつでも内容を確認できる。
そして、カバー４が開閉できるので、カバー４を開くとメモを読み取れ、閉じるとメモ自体を他人が外見できないように秘匿できる。
【００１６】
本考案によって、カバー４が透明である場合は、カバー４を開けなくてもメモを読み取ることができる。また、カバー４が非透明である場合は、カバー４を閉じた状態ではメモ自体を秘匿でき、開けるとメモを読み取ることができる。
【符号の説明】
【００１７】
１  本体部
２  コネクタ部
３  メモ記載部
４  カバー
Ａ  ＵＳＢメモリ
【図１】
0003227786.tif 000003
【図２】
0003227786.tif 000004
(57)【要約】【課題】  運動や肉体労働で呼吸が荒くなったり、高温多湿の環境下にあったりするときに着用していても呼吸が苦しくなりにくいマスクを提供する。【解決手段】  本考案は、布製マスクの裏地に、着用時に鼻孔と口の中間を通るほぼ水平な位置にハリのあるテープ状の芯材を添わせることにより、吸気でマスクの布地が吸い寄せられて鼻孔下の空間が狭められるのを防ぐので、運動や肉体労働で呼吸が荒くなったり、高温多湿の環境下にあったりするときも呼吸が苦しくなりにくい。【選択図】図２
0003227729.tif 000002
【実用新案登録請求の範囲】
【請求項１】
布製立体型マスクにおいて、着用した時に鼻孔と口の中間に位置する点から、ほぼ水平に左右の端まで延長した線に沿って、適度なハリのある１０〜１５ミリメートル巾のテープ状の部材を添わせることで、大きく息を吸ったときにもマスクが鼻孔に吸い寄せられるのを防いで鼻孔下の空間を保持することを特徴とする布製マスク。
【請求項２】
前記テープ状の部材は、マスク裏地の部材が吸気で吸い寄せられるのを防ぐ程度のハリと、マスクが着用者の顔に自然に添うのを妨げない程度のしなやかさを併せ持ち、家庭洗濯およびアイロンの使用に耐える物が望ましく、たとえばホースヘアテープがその一例であるところの、請求項１に記載の布製マスク。
【請求項３】
前記テープ状の部材は、マスクの裏地の裏面に取り付けることにより、テープ状の部材が直接肌に触れることが無く、また外観のデザインに影響を与える事が無い請求項１または２に記載の布製マスク。
【請求項４】
前記テープ状の部材をマスクの裏地に取り付ける方法としては、直に縫い付ける、または裏地の裏側に新規の別部材を縫い付け裏地との間に通す、といった方法が考えられるが、いずれの場合もテープ状の部材が裏地に対して外回りに湾曲した状態にして取り付けることでマスク本体が外側に丸みを得やすくする請求項１〜３のいずれか１項に記載の布製マスク。
【請求項５】
前記テープ状の部材を、裏地の外側に別の布を当てて作った通し道を用いて取り付ける場合に、マスクの左右にテープの出し入れ口を設けて着脱可能にすることでテープ状部材を容易に再使用でき、またテープ状部材が洗濯やアイロンに耐えない材質であっても洗濯やアイロンの際に取り外すことで使用可能となる請求項１〜３のいずれか１項に記載の布製マスク。
【考案の詳細な説明】
【技術分野】
【０００１】  この考案は、一般的な布製マスクに関し、運動や肉体労働をして呼吸が荒くなったり、気温の上昇による発汗でマスク内の湿度が高くなったりしたときにも息苦しさを感じにくい布製マスクに関する。
【背景技術】
【０００２】  新型コロナウイルスの世界的流行を機に、感染対策としてマスクの着用が奨励され、様々な形および素材のマスクが製作され販売されている。今後マスクの着用機会は、従来のような主として安静時だけでなくスポーツや肉体労働で体を活発に動かす時や高温多湿の環境下でも増えると予想される。また、日常における着用機会が増えることによりファッション性も求められ始めている。
【考案の概要】
【考案が解決しようとする課題】
【０００３】  しかしながら、従来の布製マスクは、上記のような状況で呼吸が荒くなったりマスク内の湿度が上昇したりすると、息を吸う際にマスクの布地が鼻孔に引き寄せられ息苦しさを感じやすいものであった。【０００４】  この考案は、上述のような課題を解決するためになされたもので、運動や肉体労働時、高温多湿の環境下でも息苦しさを感じにくい布製マスクを提供することを目的とする。
【課題を解決するための手段】
【０００５】  この考案は、上記の目的を達成するため、マスクの着用時に鼻孔と口の中間点を通るほぼ水平な線上に、弾力性のあるテープを取り付けたマスクであって、吸気でマスク本体の布が鼻孔下に吸い寄せられる現象が起こりにくいことを特徴とする。
【考案の効果】
【０００６】  この考案によれば、マスクを着用して運動や肉体労働をするときや、高温多湿の環境下にあっても、鼻孔付近のマスクの本体の布が弾力性のあるテープに支えられ、鼻孔下に吸い寄せられにくくなる。このため、本考案によれば、上述のような条件下でも着用者が息を吸う際の苦しさが軽減される布製マスクを提供することができる。また、マスク裏地のみへの加工であるため、外観のデザインを自由に楽しめる。
【図面の簡単な説明】
【０００７】
【図１】本考案の布製マスクの実施例として裏地の表面と裏面の形状を表した側面図である。
【図２】テープ状部材の取り付け位置をマスク着用時の側面から示した図である。
【図３】本考案の布製マスクの構成を水平方向から説明する図である。
【考案を実施するための形態】
【０００８】  本考案を実施した布製マスクの一例を示す。
図１は、裏地の構造を表している。裏地の左右のパーツを縫い合わせて縫い代３を割った後、着用時最も内側になる裏地に細長く切った薄手の布１を当てて巾の両端を縫い、テープ部材より５ミリメートルほど幅広いテープ部材の通し道を作る。このとき薄手の布と重なる部分だけ裏地を裏側へ折り返して、テープ部材が出し入れできる口４を作っておく。
【０００９】  テープ状部材の取り付け位置は、図２のように鼻孔と口の中間に位置するよう設定する。
【００１０】表地と裏地を中表に縫い合わせた後、表に返す。表地の左右の端をそれぞれ三つ折りにして縫い、耳に掛ける紐の通し道を作る。このときテープ状部材の出し入れ口４となる部分はステッチをかけない。耳掛け紐をマスクの左右の端に通してそれぞれ輪にする。テープ状部材を鼻孔下の通し道に通す。
【００１１】  本考案を実施するには、弾力性のあるテープ部材が、上述の要件を満たして取り付けられていれば良いのであって、織布だけでなく不織布で作られた１枚仕立てのマスクにも応用することができる。
【産業上の利用可能性】
【００１２】  感染症予防のためのマスクの着用、健康意識が高まりによるスポーツ人口の増加、夏の気温の上昇傾向を鑑み、着用中も息苦しさを感じにくいマスクは人々の健康維持に付与する物である。
【符号の説明】
【００１３】１テープ状部材の通し道を構成する当て布
２当て布を固定するステッチ
３テープ状部材の入れ口
４マスク本体
５テープ状部材
６マスク表地
７マスク裏地
【図１】
0003227729.tif 000003
【図２】
0003227729.tif 000004
【図３】
0003227729.tif 000005
(57)【要約】      （修正有）【課題】飲み残すことがなく、同時に二種の飲料を味わえる二種飲料用容器を提供する。【解決手段】二種飲料用容器は、同形の飲料容器１を２個設け、容器１の上部に飲み口を設け、この双方の飲料容器１を密着させて覆設シート９にて一体化した。【選択図】図６
0003227726.tif 000002
【実用新案登録請求の範囲】
【請求項１】
同形の飲料容器を２個設け、該容器の上部に飲み口を設け、この双方の飲料容器を密着させて覆設シートにて一体化したことを特徴とする二種飲料用容器。
【請求項２】
各飲料容器を各々平面視半月形として、これを２個一体化としてなる請求項１記載の二種飲料用容器。
【請求項３】
各飲料容器の飲み口をタブ方式とし、双方の容器を一体化したときに、飲み口位置を平面視点対称としてなる請求項２記載の二種飲料用容器。
【請求項４】
各飲料容器を直方体形状としてなる請求項１記載の二種飲料用容器。
【考案の詳細な説明】
【技術分野】
【０００１】  この考案は、２個の飲料用容器を合体させた、二種飲料用容器に関する。
【背景技術】
【０００２】  従来より、多種多様な飲料用容器があるが、本案にて示すように、容器２個を合体させたものは見当たらない。
【考案の概要】
【考案が解決しようとする課題】
【０００３】  従来の例えば自動販売機で売られているような飲料缶は単一缶であり、ユーザーは多種の中から所望の飲料を選択して購入する。人によって飲用量は異なるが、大衆に合わせて選択した容量として売られている。しかし、女性高齢者にとってはその容量が多すぎると感じる場合も少なくなく、缶飲料では一度開缶すると飲みきることが必要となるが、飲み残してその処置に困る場合がある。
本案は以上に鑑み、缶飲料の容量を少なくするとともに、同時に二種の飲料を味わうことのできる、新規かつ有用なる手段を提供することを目的として発案されたものである。
【課題を解決するための手段】
【０００４】  課題を解決する手段として本案は以下の構成とした。すなわち、
同形の飲料容器を２個設け、該容器の上部に飲み口を設け、この双方の飲料容器を密着させて覆設シートにて一体化する。本案は以上の構成よりなる二種飲料用容器である。
【考案の効果】
【０００５】  本案は下記の効果を有する。
１．２個の容器を一体化しているので、二種の飲料を楽しむことができる。
２．各々の容器容量を少なくできるので、飲み残すことがない。
３．タブ方式の場合は、タブを細幅とするので、小さな力でも容易に開けることができる。
４．覆設シートにて一体化するので、缶自体への印刷は不要となり、また、双方の容器固着を要せずに一体化ができる。
【図面の簡単な説明】
【０００６】
【図１】本考案の平面図（合体前）
【図２】本考案の正面図（合体前）
【図３】本考案の平面図（合体後）
【図４】本考案の正面図（合体後）
【図５】本考案の中央横断面図
【図６】本考案の完成図（正面視）
【図７】本考案の他例を示す正面図
【図８】本考案の他例を示す平面図
【図９】本考案の他例における完成図（正面視）
【考案を実施するための形態】
【０００７】  以下、本考案の実施形態について説明する。
図において、１は缶体で、平面視略半月形の中空体であって、その左方には平面部２が右方には曲面部３が形成され、その上端は巻き締め部４となっている。この缶体上面には飲み口としてのタブ５が設けられる。図１にては、タブの引き起こし部６は上方に、開口となる作用部７は下方に、そして支点部８はその中間に位置している。
この缶体は図３のように、平面視点対称として２個が平面部を密着させて、必要事項を印刷した覆設シート９にてこれらの缶体が一体となっている。
以上が本案の一実施形態である。
【０００８】  本案は２個の缶が一体化しており、各々別の飲料を入れることができる。
使用に際しては、まずどちらか一方のタブを開けて飲み、この缶を回転させて別缶の飲料を飲むことができる。このとき、すでに飲んだ缶の開口部は上方に位置するために、飲んだ後の飲料が垂れてくることはない。使用例としては、例えば一方に緑茶、他方にコーヒーを入れておくと、食事時には緑茶を飲み、食後にはコーヒーを飲むことができる。
【０００９】  図７〜図９は、既述方式をペットボトルに応用した例である。
前例方式同様に、角形の本体１０の上面にネジを切った飲み口を各々設け、この飲み口にキャップ１１を螺着させ、全体は覆設シート１２にて一体化される。
この例は、キャップがあるので、容量を大きくすることができ、必要に応じて好みの方の飲料を味わうことができるとともに何回でも飲むことができる。
【００１０】  以上、本案について説明したが、本案は二種の飲料を１個で飲むことができるとともに、各缶の容量は従来品より少ないので、飲み残さずに用いることができるものである。
なお、図６および図９にて示すように、覆設シートにミシン目を入れておくことにて、使用後にこのミシン目を切り取って、缶体と覆設シートを分離して、個別のゴミとして廃棄することができる。
この覆設シートに印刷をすることにて、従来のような缶自体への印刷は不要となり、また、双方の缶相互の固着の必要はなくなる。本案によって飲み残すことのない缶飲料が得られるが、封入飲料の組み合わせは、既述以外に、緑茶と紅茶、ジュースと天然水など幾通りでも可能である。
以上のごとく、本案にて女性高齢者などに好適なる缶飲料容器を得ることができる。
【符号の説明】
【００１１】  １  缶体
２  平面図
３  曲面部
４  巻き締め部
５  タブ
６  引き起こし部
７  作用部
８  支点部
９  覆設シート
１０  本体
１１  キャップ
１２  覆設シート
１３  ミシン目
１４  ミシン目
【図１】
0003227726.tif 000003
【図２】
0003227726.tif 000004
【図３】
0003227726.tif 000005
【図４】
0003227726.tif 000006
【図５】
0003227726.tif 000007
【図６】
0003227726.tif 000008
【図７】
0003227726.tif 000009
【図８】
0003227726.tif 000010
【図９】
0003227726.tif 000011
(57)【要約】      （修正有）【課題】安定した導電性が得られる導電ブラシを提供する。【解決手段】先端部に導電性のブラシ部２を備えた導電ブラシ１であって、導電ブラシ１は、ブラシ部２を支持する口金具３と、口金具３に連結されて指先が添えられる柄部４とから構成されており、ブラシ部２は、その先端部が山なりの形状とされるとともに、口金具３内には銅粉が埋設されている。【選択図】図１
0003227724.tif 000002
【実用新案登録請求の範囲】
【請求項１】
先端部に導電性のブラシ部を備えた導電ブラシであって、該導電ブラシは、前記ブラシ部を支持する口金具と、該口金具に連結されて指先が添えられる柄部とから構成されており、前記ブラシ部は、その先端部が山なりの形状とされるとともに、前記口金具内には銅粉が埋設されていることを特徴とする導電ブラシ。
【考案の詳細な説明】
【技術分野】
【０００１】本考案は、タブレット、スマートフォン、パソコンなどの端末の画面上で文字や絵などを書くための導電ブラシに関するものである。
【背景技術】
【０００２】従来から知られている導電ブラシでは、導電ブラシ内部において導電性の繊維間に隙間が生じていたため導電に均一性が保てなくなって性能が安定していなかった。
【考案の概要】
【考案が解決しようとする課題】
【０００３】従来、導電ブラシを製作するにあたっては、ブラシ穂先部の山型を製作する際、型に投入する繊維の量を調整し、きつすぎず、かつ緩すぎないように適量を調整して投入していた。この時、繊維間に空間が生じてしまい、これによって導電に均一性が保てなくなり、安定した導電性が得られない状態となっていた。このため、導電性をいかに安定させるかが課題となっていた。
【課題を解決するための手段】
【０００４】本考案は、前記した課題を解決するために、先端部に導電性のブラシ部を備えた導電ブラシであって、該導電ブラシは、前記ブラシ部を支持する口金具と、該口金具に連結されて指先が添えられる柄部とから構成されており、前記ブラシ部は、その先端部が山なりの形状とされるとともに、前記口金具内には銅粉が埋設されていることを特徴とする。
【考案の効果】
【０００５】本考案においては、ブラシの繊維間の隙間に銅粉が散らばっているため、導電性が均一で安定性が向上するという効果を奏する。このため、タブレット等で操作する際の画面上での文字や絵の表現が安定し、スムーズな書き味となるなどの効果がある。
【図面の簡単な説明】
【０００６】
【図１】本考案の導電ブラシの全体図。
【図２】本考案の導電ブラシの製造工程を示す断面図。
【図３】本考案の導電ブラシの製造工程を示し銅粉を入れた状態の断面図。
【考案を実施するための形態】
【実施例】
【０００７】本考案について図面に基づいて説明する。導電ブラシ１は、導電性のブラシ部２と、このブラシ部２を支持する口金具３と、この口金具３に連結する柄部４とから構成されている。前記した口金具３は断面が円形状で前記ブラシ部２側に向かって先細りとなるようにテーパー状に形成されている。また、前記した口金具３と前記した柄部４とは中間金具５を介して連結されている。なお、この連結中間金具５は必ずしも必要ではなく、口金具３と柄部４とを直接連結してもよいものである。【０００８】前記したブラシ部２は、複数の繊維状のブラシが束ねられて構成されており、このブラシ部２の繊維状のブラシ間に銅粉６が散らばった状態、つまり、繊維間に絡まった状態で埋設されている。これによって導電性の性能が向上するようになる。【０００９】なお、前記した口金具３と、柄部４と、中間金具５とはいずれも導電性を有する金属材で構成されているものである。【００１０】前記した本考案の導電ブラシ１の製造方法について説明する。ブラシ部２を成型するための木型Ｋは、口金具３の形状に合わせた円形状の穴部１０が形成されており、この穴部１０は、さらにブラシ部２の穂先が山なり状とするために円錐形状とされている。【００１１】前記した木型Ｋの穴部１０に口金具３を嵌め込み、次いで、繊維状の複数のブラシを口金具３内に挿入する。この時、ブラシは木型Ｋの穴部１０の先細り状となったところで筆先のような形状に揃えられる（図２参照）【００１２】次に、木型Ｋの下側に振動機Ｓをセットして木型Ｋを振動させる。その時、口金具３の上側から銅粉６を入れる。これによって、ブラシ部２のブラシの穂先がきれいに固められるとともに、銅粉６が繊維状のブラシ間に絡まった状態ではまり込んでいくようになる（図３参照）【００１３】前記したように口金具３にブラシ部２がセットされた状態で、この口金具３と柄部４とを中間金具５を介して連結することで導電ブラシ１が完成する。なお、口金具３と中間金具５の連結は嵌め込みによる嵌合固定とされ、中間金具５と柄部４との連結も同様に嵌め込みによる嵌合固定とされているが、固定の仕方はどのような固定でもよいものである。
【符号の説明】
【００１４】１    導電ブラシ
２    ブラシ部
３    口金具
４    柄部
５    中間金具
６    銅粉
Ｋ    木型
Ｓ    振動機
１０  木穴部
【図１】
0003227724.tif 000003
【図２】
0003227724.tif 000004
【図３】
0003227724.tif 000005
(57)【要約】      （修正有）【課題】ゴミ箱の内袋に用いるゴミ袋を、ゴミ箱の縁の内側に、綺麗に固定するゴミ袋の固定用の器具を提供する。【解決手段】固定具は、合成樹脂製の薄板６と、両面接着テープ７、８とからなり、ゴミ箱の縁の内側に、一周させるように貼り付け、夫々の薄板を接着してつないで輪状の帯をつくり、これにゴミ袋の口の部位を引っ掛けたり、ゴミ箱と固定器の間に押し込んだりして固定する。【選択図】図５
0003227727.tif 000002
【実用新案登録請求の範囲】
【請求項１】
ゴミ箱の口の部位の内側に、数個を連結し、貼り付けて用いる、合成樹脂製の薄板状のゴミ袋固定用の器具であって、ゴミ袋の固定法は、連結して輪状の帯を形成した薄板に、ゴミ袋を引っ掛けたり、ゴミ箱と固定器との間に生じる隙間に、ゴミ袋の口の部位や把手を押し込んだりすることを特徴とする、ゴミ袋の固定用の器具。
【考案の詳細な説明】
【技術分野】
【０００１】ゴミ箱（２）は、ポリエチレン製のゴミ袋（１）を、内袋として装着し、用いられることが多い。【０００２】
0003227727.tif 000003
前後、ゴミ箱の口は筒形の場合、直径が約２０ｃｍ、ゴミ箱の縁（外周）は約６０ｃｍ、高さは２５ｃｍ前後である。【０００３】ゴミ箱の形状は、大半が円筒形である。その円筒は、箱の底に向けて、すぼませる形が大半である。この場合、投入口と底面の直径の差は、約１０％である。
【背景技術】
【０００４】ゴミ箱の内側に装着するゴミ袋は、ゴミ箱の内面が汚れるのを防ぐためである。ゴミ袋はゴミでいっぱいになると、自治体が指定するゴミ袋に、袋のまま移しかえて廃棄することになる。【０００５】ゴミ箱に用いるゴミ袋は、家庭ではスーパーマーケットなどで支給される、レジ袋（図３）を再利用する例が多い。【０００６】ゴミ袋のゴミ箱への固定方法は、袋の口や把手の部分を、図１のように、ゴミ箱の外側に折り曲げるだけか、この折り曲げ部分を図２のように、（３）のゴム紐で巻き締めて固定する。
【考案の概要】
【考案が解決しようとする課題】
【０００７】ゴミ袋をゴミ箱の内側で、綺麗に固定したい。【０００８】レジ袋をゴミ袋に利用する場合は、把手（４）やとじ紐（５）がゴミ箱の縁から垂れ下り、見苦しい（図４）。これを手軽に、しかも綺麗に始末したい。
【課題を解決するための手段】
【０００９】本考案になるゴミ袋の固定器（図５）を、ゴミ箱の口の部位の内側に、１周するように貼り付け（図７）、ゴミ袋は、この固定器に引っ掛ける等して固定する。【００１０】本考案になる固定器（図５）は、プラスチック製の薄板と（６）、両面接着テープ（７）（８）よりなる。接着テープの（７）は、固定器の薄板（６）をゴミ箱に貼りつけるためのものである。接着テープ（８）は、固定器の薄板同士を接着（連結）するためのものである。【００１１】本考案になるゴミ袋の固定器は、ゴミ箱の口の部位の内側、約１ｃｍ下方に貼り付ける（図７）。器具の２個目以降は、器具の薄板の両端を重ね合わせて貼り付けていき（図６）、ゴミ箱の内側の縁を１周させる。この場合、器具の薄板の両端は、接着テープ（８）等で接着する。この作業により、固定器の薄板は連結によって、輪状の帯（図７）が形成される。【００１２】ゴミ袋の固定は、ゴミ袋の口の部位や袋の把手などを、本考案によって形成した輪状の帯に引っ掛けたり、ゴミ箱と輪帯の間に生じた隙間に押し込んだりして固定する（図８）。【００１３】本考案になるゴミ袋の固定器は、プラスチック製の薄板で、形は漏斗状である（図５）。この形状は、ゴミ袋がゴミで一杯になって、ゴミ袋をゴミ箱から引きぬくとき、袋が固定器に引っかかることなく、スムースに取り出せるように講じたものである。
【本考案の効果】
【００１４】本考案になる固定器によるゴミ袋の固定は、これまでのゴミ箱の外側で行なうのと異なり、内側で行なうので、綺麗である。
【００１５】本考案になるゴミ袋の固定器は、再利用するレジ袋の始末に有効である。レジ袋は、その把手やとじ紐の始末が面倒であるが、本考案になる固定器を用いれば、ゴミ箱の内側に容易に隠すことができる。
【図面の簡単な説明】
【００１６】
【図１】図１は、ゴミ箱にゴミ袋を装着した状態を示す断面図。
【図２】図２は、ゴミ袋をゴミ箱に、ゴム紐で締め付けて固定した状態を示す斜視図。
【図３】図３は、レジ袋の斜視図。
【図４】図４は、レジ袋をゴミ箱に装着した図。
【図５】図５は、本考案になる板状の固定器の平面図。
【図６】図６は、本考案になる固定器を、連結した平面図。
【図７】図７は、本考案になる固定器を、ゴミ箱に１周するように装着した斜視図。
【図８】図８は、本考案になる固定具で、ゴミ袋をゴミ箱に装着した状態を断面図で示す。
【図９】図９は、本考案になる固定具でゴミ袋をゴミ箱に装着した結果を示す斜視図。
【考案を実施するための形態】
【００１７】本考案になる固定器の薄板の素材は、ポリプロピレン樹脂が最良である。ポリプロピレンの板は、曲げに強く、弾性があるからである。
【００１８】本考案になる固定器の大きさは、図５の寸法の約３００％である。固定器の薄板の厚みは、０．３ｍｍ前後が良い。
【符号の説明】
【００１９】１……ゴミ袋
２……ゴミ箱
３……ゴム紐
４……把手
５……とじ紐
６……固定器の薄板
７……両面接着テープ
８……両面接着テープ
【図１】
0003227727.tif 000004
【図２】
0003227727.tif 000005
【図３】
0003227727.tif 000006
【図４】
0003227727.tif 000007
【図５】
0003227727.tif 000008
【図６】
0003227727.tif 000009
【図７】
0003227727.tif 000010
【図８】
0003227727.tif 000011
【図９】
0003227727.tif 000012
(57)【要約】      （修正有）【課題】重機の運転席に女性作業者でも不安なく安全に使用できる便器を備えた重機の運転席構造を提供する。【解決手段】重機の運転席において、周囲の窓ガラス全面に通電により非透明となる遮光フィルムを施し、運転席の座席本体７の下方に所要スペースの収納空間５を形成し、空間５に便器としての糞尿収納容器６を出入り自在に収納して成る。この運転席構造によれば、一般家庭内での用便のように着衣を解いて用足しができるほか、糞尿収納容器６には高分子吸収剤と凝固剤と用便袋とを付設するので、高分子吸収剤で不快な臭いが吸着され、さらに凝固剤の成分によりゼリー状に変化して廃棄しやすくなる。【選択図】図２
0003227735.tif 000002
【実用新案登録請求の範囲】
【請求項１】
重機の運転席において、周囲の窓ガラス全面に通電により非透明となる遮光フィルムを施し、運転席の座席が座席本体の下方に所要スペースの収納空間を形成し、該収納空間に便器としての糞尿収納容器を出入自在に収納して成ることを特徴とする重機の運転席構造。
【請求項２】
前記糞尿収納容器に高分子吸収剤と凝固剤と用便袋とを付設して成ることを特徴とする請求項１記載の重機の運転席構造。
【考案の詳細な説明】
【技術分野】
【０００１】
本考案は、重機の運転席において、視覚的に車外と隔絶状態で用便できる重機の運転席構造に関するものである。
【背景技術】
【０００２】
自動車の運転席で走行中又は停車中に着席したままで用便（主として排尿）できる座席用小型便器が特開平１１-１８０２２７号公報（特許文献１）に提案されている。しかし、この技術では用便する姿が外部から視認され、この公知技術では運転席が一席である重機での女性の運転者にとっては極めて不都合なものである。
【先行技術文献】
【特許文献】
【０００３】
【特許文献１】特開平１１-１８０２２７号公報
【考案の概要】
【考案が解決しようとする課題】
【０００４】
本考案は。重機の運転席において、女性の運転者でも恥ずかしい思いをすることなく、用便をすることのできる重機の運転席構造を提供するものである。
【課題を解決するための手段】
【０００５】
本考案の請求項１に記載した重機の運転席構造は、重機の運転席において、周囲の窓ガラス全面に通電により非透明となる遮光フィルムを施し、運転席が座席本体の下方に所要スペースの収納空間を形成し、該収納空間に便器としての糞尿収納容器を出入り自在に収納して成る。
また、請求項２に記載した重機の運転席構造は、請求項１に記載した重機の座席構造において、前記糞尿収納容器に高分子吸収剤と凝固剤と用便袋とを付設して成る。
【考案の効果】
【０００６】
本考案の重機の運転席構造によれば、周囲の窓ガラス全部が通電により遮光状態であるから、一般家庭内での用便のように着衣を解いて用足しできる上、座席本体の表面座席板を上方に剥ぐれば、糞尿収納容器が出現し、便座をはね上げると、便座カバーが現れるので、便座の裏面に設けた収納部から用便袋と高分子吸収剤と凝固剤を入れてその上部周面を便座カバーに取り付けるだけの簡単な作業で前処理が終わる。
用足し後は用便袋の開口部を結んで糞尿収納容器から取り出し、新たな用便袋を糞尿収納容器に取り付け、その上部周面を便座カバーで押さえつけて便座を被せ、座席本体の表面座席板を下げれば、初期状態に完了した姿となる。
なお、用便袋に収納された糞尿は、高分子吸収剤で不快な臭いが吸着され、さらに、凝固剤の成分により、ゼリー状に変化して廃棄しやすくなるものである。
【図面の簡単な説明】
【０００７】
【図１】本考案が施された重機の一側面である。
【図２】本考案が施された運転席の座席の概略平面図である。
【図３】本考案の要部である糞尿収納容器の中央縦断面図である。
【図４】糞尿収納容器の分解斜視図である。
【考案を実施するための形態】
【０００８】
遮光フィルムを施こすとは、遮光フィルムを窓ガラスに貼着するものから、電気的にON、OFF制御で遮光状態を維持、解除するものまでを含むとすることであり、この遮光フィルムとは、ミラータイプのフィルムが適しているものであるほか、夏場の省エネ効果が抜群で、エアコンの効きがグッーと良くなる反射タイプのマジックミラータイプのフィルムを挙げることができる。
また、トイレの凝固剤としては袋と吸収体が一体型でかさばらない防災用簡易トイレも良好で、高分子ポリマーも安心して使用できるものであるほか、ヤシ殻活性炭の消臭力も排泄時のニオイを消臭して効果抜群である。
【実施例】
【０００９】
本考案の重機の運転席構造について、図１に示すバケットローダなる重機１の例で説明すると、運転席の窓ガラス２は、カーテンを備えて通電により非透明となる遮光フィルムを施したものであり、その座席３は図２の概略で示したように、表面座席板４の下面に便座の収納空間５が形成され、この収納空間５には図３に示す便器としての糞尿収納容器６が収納され、座席本体７の表面座席板８が、その前端を塞いで見た目がすっきりした状態で作業にかかれる。
この糞尿収納容器６は図４に示すように、糞尿収納容器６の後方両端に設けた係合子９に便座カバー１０の後方両端に設けた第１係合子１１を係着し、更にこの第１係合子１１に便座１２の後方両端に設けた第２係合子１３を係着し、図外のピン等で一括係合して糞尿収納容器６に対して前記便座１２を便座カバー１０が開閉自在に収められ、収納空間５に収められた糞尿収納容器６は、その上面に表面座席板４が被せられ、その前面にも垂れ下げられて運転に支障のない状態に整えられる。
便意を催したときは、表面座席板４を持ち上げると糞尿収納容器６が現れる。
糞尿収納容器６の便座カバー１０を開けると便座１２が現れるので普段の用足しと同様の姿勢で目的が達成される。
大便のときは予め用便袋１４に収められた高分子吸収剤と凝固剤とによって不快な臭いも吸収される上、糞もゼリー状に変化しているので用便袋１４の口部を縛って糞尿収納容器６から取り出され、適宜なゴミ箱に一時保留されるものである。なお、運転席には換気扇を設けてニオイを排出するようにする。
その後は初期作業と同様に便座カバー１０との共同作業で収められ、便座カバー１０の裏面に設けた収納部１５に収められる高分子吸収剤と凝固剤とが用便袋１４に振りまかれ、便座１２が被せられ、最後に座席本体７の表面座席板８が便座１２の上面から収納部空間５の前面に向けて被せられ、初期状態に整えられる。
なお、前記表面座席板４は座席本体７の要所に開閉自在に設けられる。
【産業上の利用可能性】
【００１０】
本考案は、重機運転者の女性の進出に福音となり、重機作業の活性化と重機製造業界の活性化に貢献できるものである。
【符号の説明】
【００１１】
１  重機
２  窓ガラス
３  座席
４  表面座席板
５  収納空間
６  糞尿収納容器
７  座席本体
８  表面座席板
９  係合子
１０  便座カバー
１１  第１係合子
１２  便座
１３  第２係合子
１４  用便袋
１５  収納部
【図１】
0003227735.tif 000003
【図２】
0003227735.tif 000004
【図３】
0003227735.tif 000005
【図４】
0003227735.tif 000006
(57)【要約】【課題】  デザイン性に優れ、醤油などの液体調味料を吐出する際に、調味料が容器の外に垂れたり容器の外側を伝ったりすること無く、調味料容器自体やテーブルなどを汚すことも無い液だれ防止可能な液体調味料容器を提供する。【解決手段】  液体調味料を収容するための動物の体を模した本体部２０と、調味料の投入口を塞ぐ動物の頭部を模した蓋部３０とを備えた液体調味料容器１０であって、前記本体部２０は吐出口５０を備えた吐出部４０を備え、前記吐出部４０内の最狭部は、前記吐出口５０の開口部よりも小さいことを特徴とする。【選択図】図１
0003227760.tif 000002
【実用新案登録請求の範囲】
【請求項１】
液体調味料を収容するための動物の体を模した本体部と、
調味料の投入口を塞ぐ動物の頭部を模した蓋部とを備えた液体調味料容器であって、
前記本体部は吐出口を備えた吐出部を備え、
前記吐出部内の最狭部は前記吐出口の開口部よりも小さいことを特徴とする液体調味料容器。
【考案の詳細な説明】
【技術分野】
【０００１】  本考案は、醤油などの液体調味料を使用するための容器に関する。更に言えば、デザイン性に優れ、液だれ防止可能な液体調味料容器に関するものである。【０００２】  従来から、醤油などの液体調味料は小分けして専用の容器に保管し、必要時に必要な分量だけ取り出せるようになっていた。具体的にはそれらの容器には注ぎ口が設けられており、注ぎ口の吐出部分から液体調味料を必要な分量だけ食品などに直接注いで使用していた。またそれらの容器は、液体調味料を入れるためだけの用途に基づきデザインされたものであった。
【背景技術】
【０００３】  ところで近年は食ブームの影響もあり、自宅で食事をする際にはこだわりの調味料を使用する人たちが増えている。また、近代的でおしゃれな住環境化に伴い、自宅で使用する食器やカトラリー類だけで無く、調味料容器も個人の嗜好に応じて選択する事が多くなってきている。しかしながら、機能性に基づいたデザインの域を出ず、生活感を感じさせる物が多い。また、デザイン性に優れた調味料容器であっても、使用後に液体調味料が漏れてしまう事が避けられず、調味料容器そのものやテーブル上も汚してしまう問題があった。【０００４】  特許文献１には、「注ぎ口を鳥のクチバシ状にカツトし、これによって液体の性質である表面張力を利用し、液だれを防止する事を特徴とする醤油差し。」が開示されている。
特許文献２には、「内部を仕切板で左室と右室に分け、仕切板の上端は補給口の下部のほぼ中央を仕切り、下端は左室の底部コーナーに達し、コーナーと接触する仕切板下端中央辺に狭い凹みをつけて、右室とつながる底部通路を設け、補給口の右端辺近くに通気孔を設け、通気孔の径は、吸い戻しの力を大きくするために注ぎ口の径より心持ち大きめにし、左室の天井近く手前に注ぎ口を設けたことを特徴とする液垂れしない醤油差し。」が開示されている
【先行技術文献】
【特許文献】
【０００５】
【特許文献１】実開昭６３−１４２１５８号公報
【特許文献２】特開２０１１−１９４２０２号公報
【考案の概要】
【考案が解決しようとする課題】
【０００６】  特許文献１は、「液だれを防止する事を特徴とする醤油差し」ではあるが、そもそもこの様な形状にした事で液だれを防止できる理由は開示されておらず、そもそもデザイン的には従来からある醤油差しと何ら変わりない。
特許文献２は、「醤油を注ぎ終ったとき、注ぎ口の液垂れを、自動的な吸い戻しで、液垂れを防止できるように工夫した液垂れしない醤油差し」ではあるが、容器内に設けられた複数の調整のための空間を利用し吸い戻しを行うもので、構造が複雑でありコストが高くなってしまう。また、これも工業的な機能のみを追求してデザインされたものであり、最近の食卓を飾るためのおしゃれ感を持ち合わせていない。
【課題を解決するための手段】
【０００７】  上記課題を解決するために、本考案の液体調味料容器は、液体調味料を収容するための動物の体を模した本体部と、調味料の投入口を塞ぐ動物の頭部を模した蓋部とを備えた液体調味料容器であって、前記本体部は吐出口を備えた吐出部を備え、前記吐出部内の最狭部は前記吐出口の開口部よりも小さいことを特徴とする液体調味料容器である。
【考案の効果】
【０００８】  上記の本考案によれば、デザイン性に優れ、液だれ防止可能な液体調味料容器を提供することができる。
【図面の簡単な説明】
【０００９】
【図１】本考案の液体調味料容器の全体斜視図である。
【図２】本考案の液体調味料容器の吐出部形状を説明する部分断面図である。
【符号の説明】
【００１０】１０  液体調味料容器
２０  本体部
３０  蓋部
４０  吐出部
５０  吐出口
【考案を実施するための形態】
【００１１】  以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１２】  まず、図１に本考案の液体調味料容器１０を示す。なお、図１は、液体調味料容器１０の全体斜視図である。図１に示すように、液体調味料容器１０は、本体部２０と調味料の投入口を塞ぐ蓋部３０とを備えている。本体部２０は動物の体を模しており、蓋部３０は動物の頭部を模している。また、本体部２０には吐出部４０を備えており、その先端部には吐出口５０を備えている。なお、デザインの対象とする動物は、尻尾を有する動物であることが好ましく、吐出部４０はその尻尾を模しているとデザイン的に好ましいと言える。
【００１３】  図２は、本考案の液体調味料容器の吐出部形状を説明する部分断面図である。前記本体部２０には吐出口５０を備えた吐出部４０を有しており、前記吐出部内の最狭部は前記吐出口の開口部よりも小さい。このため、液体調味料を注ぎ終わった後に本体部に戻ろうとする液体調味料は、吐出口５０から吐出部４０の最狭部方向へ毛細管現象により自然に吸い込まれる。そのため、吐出口５０付近に液体調味料が残ることが無くなり、結果として液だれを防止することができる。
【００１４】  なお、本考案の液体調味料容器は、上記の実施例に限定されず、実用新案登録請求の範囲に記載された範囲、実施形態の範囲で、種々の変形例、組み合わせが可能であり、これらの変形例、組み合わせもその権利範囲に含むものである。
【図１】
0003227760.tif 000003
【図２】
0003227760.tif 000004
(57)【要約】      （修正有）【課題】地震や台風、津波や洪水などの災害で、自家用車などの車が損傷をうけたり、浸水、沈没したりして大きな損害が出る問題を解決するために、空気圧を高めた厚みのあるビニール壁で車を防御することで損傷を減らしたり、防水性を高めることで浸水、沈没するのを防ぐことができる箱型エアーボードを提供する。【解決手段】開閉扉３の付いた箱型のビニール製の空気膜構造体１に、空気栓２で内部に空気を送り込み、膜体全体に空気を充満させ、かつ膜体内部の気圧を外部の大気圧より高めることにより、膜体を張りつめて形状を保持させることで、内部に骨組みやフレーム等の支え無しで形状を保持することができ、空気圧を高めた厚みのあるビニール壁で載せた車５を防御し、開閉扉３は防水性の高いジッパー４で閉める事で、車５の浸水や沈没を防ぐのに役立つ。【選択図】図２
0003224627.tif 000002
【実用新案登録請求の範囲】
【請求項１】
ビニール製の箱型の空気膜構造体で、空気栓で内部に空気を送り込んで充満させることで、形状を保持することができるところを特徴とし、開閉口のジッパーで開閉することができる車を載せる箱型エアーボート。
【考案の詳細な説明】
【技術分野】
【０００１】
本考案は、ビニール製の空気膜構造体の箱型エアーボートに関するものである。
【考案の概要】
【考案が解決しようとする課題】
【０００２】
地震や台風、津波や洪水などの災害で、自家用車などの車が損傷をうけたり、浸水、沈没されたりして大きな損害が出ている。従って、ビニール製の空気膜構造体の箱型エアーボート内に車を載せることで、空気圧を高めた厚みのあるビニール壁で車を防御することで損傷を減らしたり、防水性を高めることで浸水、沈没するのを防ぐことができ、前述の欠点を解決しようとするものである。
【課題を解決するための手段】
【０００３】
本考案は、開閉口の付いた箱型のビニール製の空気膜構造体に、空気栓で内部に空気を送り込み、膜体全体に空気を充満させ、かつ膜体内部の気圧を外部の大気圧より高めることにより、膜体を張りつめて形状を保持させることで、内部に骨組みやフレーム等の差さえ無しで形状を保持することができ、空気圧を高めた厚みのあるビニール壁で載せた車を防御し、開閉口は防水性の高いジッパーで閉める事で、車を浸水や沈没を防ぐことで問題点を解決している。
【考案の効果】
【０００４】
上述の様に、本考案の車を載せる箱型エアーボートは、空気を抜いて持ち運びできることで、普段は車庫や倉庫に保管できるようになる。さらにビニールを透明にすることで、エアーボート内の中身を外側から見ることができ、自分の車を探すことに役立つ。
【図面の簡単な説明】
【０００５】
【図１】本考案の車を載せる箱型エアーボートの全体の俯瞰図である。
【図２】本考案の車を載せる箱型エアーボートの車を搭載した場合の俯瞰図である。
【図３】本考案の空気膜構造体の断面図である。
【符号の説明】
【０００６】
１    ビニール製の空気膜構造体
２    ビニール製の空気栓
３    ビニール製の空気膜構造体の開閉口
４    開閉口のジッパー
５    車
【図１】
0003224627.tif 000003
【図２】
0003224627.tif 000004
【図３】
0003224627.tif 000005
【手続補正書】
【提出日】令和1年10月23日(2019.10.23)
【手続補正１】
【補正対象書類名】明細書
【補正対象項目名】全文
【補正方法】変更
【補正の内容】
【考案の詳細な説明】
【技術分野】
【０００１】
本考案は、ビニール製の空気膜構造体の箱型エアーボートに関するものである。
【考案の概要】
【考案が解決しようとする課題】
【０００２】
地震や台風、津波や洪水などの災害で、自家用車などの車が損傷をうけたり、浸水、沈没されたりして大きな損害が出ている。従って、ビニール製の空気膜構造体の箱型エアーボート内に車を載せることで、空気圧を高めた厚みのあるビニール壁で車を防御することで損傷を減らしたり、防水性を高めることで浸水、沈没するのを防ぐことができ、前述の欠点を解決しようとするものである。
【課題を解決するための手段】
【０００３】
本考案は、開閉扉の付いた箱型のビニール製の空気膜構造体に、空気栓で内部に空気を送り込み、膜体全体に空気を充満させ、かつ膜体内部の気圧を外部の大気圧より高めることにより、膜体を張りつめて形状を保持させることで、内部に骨組みやフレーム等の差さえ無しで形状を保持することができ、空気圧を高めた厚みのあるビニール壁で載せた車を防御し、開閉扉は防水性の高いジッパーで閉める事で、車を浸水や沈没を防ぐことで問題点を解決している。
【考案の効果】
【０００４】
上述の様に、本考案の車を載せる箱型エアーボートは、空気を抜いて持ち運びできることで、普段は車庫や倉庫に保管できるようになる。さらにビニールを透明にすることで、エアーボート内の中身を外側から見ることができ、自分の車を探すことに役立つ。
【図面の簡単な説明】
【０００５】
【図１】本考案の車を載せる箱型エアーボートの全体の俯瞰図である。
【図２】本考案の車を載せる箱型エアーボートの車を搭載した場合の俯瞰図である。
【図３】本考案の空気膜構造体の断面図である。
【符号の説明】
【０００６】
１    ビニール製の空気膜構造体
２    ビニール製の空気栓
３    ビニール製の空気膜構造体の開閉扉
４    開閉扉のジッパー
５    車
【手続補正２】
【補正対象書類名】実用新案登録請求の範囲
【補正対象項目名】全文
【補正方法】変更
【補正の内容】
【実用新案登録請求の範囲】
【請求項１】
ビニール製の箱型の空気膜構造体で、空気栓で内部に空気を送り込んで充満させることで、形状を保持することができるところを特徴とし、開閉扉のジッパーで開閉することができる車を載せる箱型エアーボート。